(57)【要約】【課題】送出バンク装置を小規模で安価に実現でき、また、映像素材と素材情報にずれが発生することを防止する。【解決手段】送出バンク装置１０４は、番組表に基づいて、カート装置１０１に対して、所定の映像素材の再生準備を指示する。カート装置１０１は、所定の映像素材が記録されている光ディスク１０２から、素材情報（素材コード、素材名、開始点、素材長、ブロック等の情報）を読み出し、送出バンク装置１０４に送る。送出バンク装置１０４は、この素材情報に基づいて、カート装置１０１に対して、開始点等の情報を伴った再生準備の指示を送る。カート装置１０１は、自動運行装置１０５から再生開始指示により再生（送出）を開始する。送出バンク装置１０４は、素材情報用のデータベースが不要となる。また、映像素材が記録されている光ディスク１０２自体にその映像素材の素材情報が記録されるため、映像素材と素材情報にずれは発生しない。【選択図】図１
2010102783.tif 000002
【特許請求の範囲】
【請求項１】
記録メディアに記録されている映像素材に対して検尺作業を行う検尺部と、
上記検尺部における上記検尺作業の結果を上記記録メディアに記録する記録部
を備える送出システム。
【請求項２】
上記記録メディアには、記録されている映像素材に対応して、素材種別情報がさらに記録されている
請求項１に記載の送出システム。
【請求項３】
上記記録メディアには、記録されている映像素材に対応して、編集情報がさらに記録されている
請求項１に記載の送出システム。
【請求項４】
上記記録メディアから所定の上記映像素材を再生する際に、該所定の映像素材に対応して上記記録メディアに記録されている上記検尺作業の結果に基づいて、上記所定の映像素材の再生を制御する再生制御部をさらに備える
請求項１に記載の送出システム。
【請求項５】
上記記録メディアから所定の上記映像素材を再生する際に、該所定の映像素材に対応して上記記録メディアに記録されている上記素材種別情報に基づいて、上記所定の映像素材に対する処理を行う処理部をさらに備える
請求項２に記載の送出システム。
【請求項６】
上記記録メディアから所定の上記映像素材を再生する際に、該所定の映像素材に対応して上記記録メディアに記録されている上記編集情報に基づいて、上記所定の映像素材に対して編集処理を行う処理部をさらに備える
請求項３に記載の送出システム。
【請求項７】
記録メディアに記録されている映像素材に対して検尺作業を行う検尺ステップと、
上記検尺ステップにおける上記検尺作業の結果を上記記録メディアに記録する記録ステップ
を有する検尺方法。
【請求項８】
記録メディアに記録されている映像素材に対して検尺作業を行う検尺部と、
上記検尺部における上記検尺作業の結果を上記記録メディアに記録する記録部
を備える検尺装置。
【発明の詳細な説明】
【技術分野】
【０００１】
この発明は、送出システム、検尺方法および検尺装置に関する。詳しくは、この発明は、映像素材が記録されている記録メディア自体に、その映像素材の素材情報を記録しておくことにより、送出バンク装置を小規模で安価に実現可能とし、また、映像素材と素材情報にずれが発生することを防止するようにした送出システム等に関する。
【背景技術】
【０００２】
従来、例えば特許文献１に記載されているように、ビデオサーバに収録された映像素材（映像／音声データ）の属性（素材コード、素材名（ＣＬＩＰ名）、開始点、素材長等）をデータベースに登録管理し、その映像素材の属性を参照して、ビデオサーバから映像素材を送出する送出システムが知られている。
【０００３】
図７は、従来のカート送出システム２００の構成例を示している。このカート送出システム２００は、カート装置２０１と、検尺端末２０３と、送出バンク装置２０４と、自動運行装置２０５を有している。この図には、カート送出システム２００の他に、放送営業管理システム（ＥＤＰＳ）２０７および放送機器２０６が示されている。放送営業管理システム２０７は、カート送出システム２００の上位システムである。放送機器２０６は、カート送出システム２００から送出される映像素材が供給されるスイッチャ、符号化装置、多重化装置等である。
【０００４】
カート装置２０１は、記録メディアとしての複数のテープカセット２０２を収納するメディア棚を有していると共に、テープカセット２０２から映像素材を再生するためのデッキを有している。例えば、テープカセット２０２にはＩＤを示すバーコードが付されており、カート装置２０１において各テープカセット２０２はＩＤ管理されている。また、例えば、カート装置２０１は、各ＩＤと、そのＩＤを持つテープカセット２０２に記録されている各映像素材の素材コードとの対応関係を示すテーブルを備えている。カート装置２０１は、送出バンク装置２０４からの指示に従って所定のテープカセットから目的の映像素材を再生するための準備をし、自動運行装置２０５からの送出開始指示に従って当該目的の映像素材を再生して、放送機器２０６に供給する。
【０００５】
検尺端末２０３は、プロダクションハウス等から納品される、映像素材（映像／音声データ）が記録されているテープカセット２０２を装着して、ユーザが種々の確認作業（検尺作業）を行うための装置であって、プレビュー機能なども備えている。検尺作業では、例えば、映像素材毎に、開始点、素材長、ブロック等が確認、調整される。ここで、ブロックとは映像素材を分割して得られた各分割部分である。送出する際には、各ブロックの間に、ＣＭ（commercial message）が挿入される。
【０００６】
放送営業管理システム２０７は、上述したように、カート送出システム２００の上位システムである。この放送営業管理システム２０７は、データベース２０７ａを備えている。このデータベース２０７ａには、プロダクションハウスなどから納品される予定の映像素材の素材情報が入力される。この素材情報は、素材コード、素材名、開始点、素材長、ブロック、素材種別、音声種別等の情報である。素材種別情報は、映像素材がＨＤ（high definition）素材であるか、ＳＤ（StandardDefinition）素材であるか等を示す情報である。また、音声種別情報は、音声データが、二カ国語であるか、ステレオであるか、５．１ＣＨであるか等を示す情報である。
【０００７】
放送営業管理システム２０７は、準備段階において、上述したように、データベース２０７ａに入力された素材情報を、送出バンク装置２０４に送る。また、この放送営業管理システム２０７は、送出段階において、データベース２０７ａに入力された素材情報に基づいて番組表（複雑な番組表）ＰＲＧａを生成して、送出バンク装置２０４および自動運行装置２０５に送る。
【０００８】
図８は、番組表（複雑な番組表）ＰＲＧａの一例を示している。この番組表ＰＲＧａは、番組０１の映像素材が２つのブロックに分割され、ブロック１とブロック２との間に１分間のＣＭが挿入されて放送される例である。なお、ブロック１を放送する際にはテロップ１とテロップ２が画像に重畳され、また、ブロック２を放送する際にはテロップ３が画像に重畳される。
【０００９】
この番組表ＰＲＧａは、番組０１、ＣＭ枠０１（ＣＭ０１、ＣＭ０２）および番組０１の３つのイベントで構成されている。最初の番組０１のイベントに関連して、当該番組０１の映像素材の素材コード、素材名（ＣＬＩＰ名）、ブロックの情報が記載されている。また、この番組０１のイベントに関連して、テロップ１，２の素材コードと、放送機器への制御命令として、テロップ１，２の表示タイミング情報が記載されている。また、この番組０１のイベントに関連して、放送機器への制御命令として、ＳＤからＨＤ（レターボックス）への変換を示す情報、および音声データがステレオであることを示す情報が記載されている。
【００１０】
また、次のＣＭ枠０１（ＣＭ０１、ＣＭ０２）のイベントに関連して、ＣＭ０１、ＣＭ０２の映像素材の素材コード、素材名（ＣＬＩＰ名）およびＣＭの長さの情報が記載されている。また、ＣＭ０１のイベントに関連して、放送機器への制御命令として、ＳＤからＨＤへの変換、あるいはＨＤからＳＤへの変換がないことを示す情報と、音声データがステレオであることを示す情報が記載されている。また、ＣＭ０２のイベントに関連して、放送機器への制御命令として、ＳＤからＨＤへの変換、あるいはＨＤからＳＤへの変換がないことを示す情報と、音声データが５．１ＣＨであることを示す情報が記載されている。
【００１１】
また、次の、番組０１のイベントに関連して、当該番組０１の映像素材の素材コード、素材名（ＣＬＩＰ名）、ブロックの情報が記載されている。また、この番組０１のイベントに関連して、テロップ３の素材コードと、放送機器への制御命令として、テロップ３の表示タイミング情報が記載されている。また、この番組０１のイベントに関連して、放送機器への制御命令として、ＳＤからＨＤ（レターボックス）への変換を示す情報、および音声データがステレオであることを示す情報が記載されている。
【００１２】
図７に戻って、送出バンク装置２０４は、データベース２０４ａを備えている。この送出バンク装置２０４は、準備段階において、上述した放送営業管理システム２０７から送られてくる素材情報をデータベース２０４ａに格納する。また、送出バンク装置２０４は、上述した検尺端末２０３における検尺段階において、検尺作業結果をデータベース２０４ａに登録する。これにより、送出バンク装置２０４のデータベース２０４ａに格納された各映像素材の開始点、素材長、ブロックは、検尺作業によって確認、調整されたものとなる。
【００１３】
また、送出バンク装置２０４は、送出段階において、上述したように放送営業管理システム２０７から送られてくる番組表ＰＲＧａ（図８参照）に基づいて、データベース２０４ａに格納されている素材情報を参照して、イベント毎に、カート装置２０１に対して、目的の映像素材の再生準備を指示する。
【００１４】
自動運行装置２０５は、送出段階において、上述したように放送営業管理システム２０７から送られてくる番組表ＰＲＧａに基づいて、時間の管理を行い、カート装置２０１に、イベント毎に、再生開始（送出開始）の指示を送る。また、自動運行装置２０５は、イベント毎に、番組表ＰＲＧａに含まれる放送機器の制御命令およびテロップ情報に基づいて、放送機器２０６に対する簡単な制御を行う。
【００１５】
図７に示すカート送出システム２００の動作を説明する。まず、準備段階の動作を説明する。この準備段階において、放送営業管理システム２０７のデータベース２０７ａに、プロダクションハウスなどから納品される予定の映像素材の素材情報が入力される。ここで、素材情報は、素材コード、素材名、開始点、素材長、ブロック、素材種別、音声種別等の情報である。
【００１６】
また、この準備段階において、放送営業管理システム２０７から送出バンク装置２０４に、データベース２０７ａに入力された素材情報が送られる。送出バンク装置２０４では、放送営業管理システム２０７から送られてきた素材情報がデータベース２０４ａに格納される。
【００１７】
次に、検尺段階の動作を説明する。この検尺段階において、プロダクションハウス等から納品された、映像素材（映像／音声データ）が記録されているテープカセット２０２が、検尺端末２０３に装着される。ユーザは、検尺端末２０３を操作して、テープカセット２０２に記録されている映像素材毎に、開始点、素材長、ブロック等の確認、調整を行う。そして、この検尺作業結果が、送出バンク装置２０４のデータベース２０４ａに登録される。これにより、送出バンク装置２０４のデータベース２０４ａに格納された各映像素材の開始点、素材長、ブロック等の素材情報は、検尺作業によって確認、調整されたものとなる。なお、検尺されたテープカセット２０２は、カート装置２０１のメディア棚に収納される。
【００１８】
次に、送出段階の動作を説明する。この送出段階において、放送営業管理システム２０７では、データベース２０７ａに入力された素材情報に基づいて、番組表（複雑な番組表）ＰＲＧａが生成される。そして、この番組表ＰＲＧａは、送出バンク装置２０４および自動運行装置２０５に送られる。送出バンク装置２０４では、番組表ＰＲＧａに基づき、データベース２０４ａに格納されている素材情報が参照されて、イベント毎に、カート装置２０１に対して所定の映像素材の再生準備を指示することが行われる。
【００１９】
そして、カート装置２０１には、イベント毎に、自動運行装置２０５から再生開始（送出開始）の指示が行われ、所定の映像素材が再生されて放送機器２０６に供給される。また、この送出段階において、自動運行装置２０５により、イベント毎に、番組表ＰＲＧａに含まれる放送機器の制御命令およびテロップ情報に基づいて、放送機器２０６の制御が行われる。これにより、放送機器２０６では、必要とする解像度、画角の変換処理、テロップの表示処理等が行われる。
【００２０】
図９のフローチャートは、上述の送出段階における送出バンク装置２０４の処理を示している。すなわち、送出バンク装置２０４は、ステップＳＴ１で処理を開始し、その後に、ステップＳＴ２の処理に移る。このステップＳＴ２において、送出バンク装置２０４は、放送営業管理システム２０７から番組表（複雑な番組表）ＰＲＧａ（図８参照）を、受け取る。そして、送出バンク装置２０４は、ステップＳＴ３において、番組表ＰＲＧａに基づいて、イベント毎に、カート装置２０１に映像素材の再生準備を指示する。送出バンク装置２０４は、ステップＳＴ３の処理が終了した後、ステップＳＴ４において、処理を終了する。
【特許文献１】特開２００２−１４８８０号公報
【発明の開示】
【発明が解決しようとする課題】
【００２１】
図７に示すカート送出システム２００においては、送出バンク装置２０４は、各映像素材の素材情報を格納するためのデータベース２０４ａを備えているので、大規模で高価になるという課題があった。また、図７に示すカート送出システム２００においては、映像素材はカート装置２０１に収納されているテープカセット２０２に記録されているのに対して、この映像素材の素材情報は送出バンク装置２０４のデータベース２０４ａに格納されている。そのため、テープカセット２０２のＩＤ管理に誤りがあると、映像素材とその素材情報との対応関係にずれが生じる恐れがある。
【００２２】
この発明の目的は、送出バンク装置を小規模で安価に実現可能とし、また、映像素材と素材情報にずれが発生することを防止することにある。
【課題を解決するための手段】
【００２３】
この発明の概念は、
記録メディアに記録されている映像素材に対して検尺作業を行う検尺部と、
上記検尺部における上記検尺作業の結果を上記記録メディアに記録する記録部
を備える送出システムにある。
【００２４】
この発明においては、検尺部により、記録メディアに記録されている映像素材に対して検尺作業が行われる。記録メディアは、例えば光ディスク等のディスク状記録媒体である。また。検尺作業は、例えば、プロダクションハウスなどから納品された記録メディアに記録されている映像素材毎に、開始点、素材長、ブロック等の確認、調整を行う作業である。ここで、ブロックとは映像素材を分割して得られた各分割部分である。送出する際には、各ブロックの間にＣＭが挿入される。
【００２５】
記録部により、検尺部における検尺作業の結果が、検尺された映像素材と共に記録メディアに記録される。この場合、記録メディアは、映像素材と共に、検尺作業によって確認、調整された当該映像素材の開始点、素材長、ブロック等の素材情報が記録された状態となる。
【００２６】
上述したように、映像素材が記録されている記録メディア自体にその映像素材の素材情報が記録される場合、例えば、送出バンク装置は、当該記録メディアからの映像素材の再生を制御する場合、当該記録メディアに記録されている素材情報を利用できる。そのため、送出バンク装置は、例えばカート装置内の各記録メディアに記録されている映像素材の素材情報を格納するためのデータベースを備える必要がなく、小規模で安価に実現可能となる。また、映像素材が記録されている記録メディア自体にその映像素材の素材情報が記録されるため、映像素材と素材情報にずれが発生することを防止できる。
【００２７】
また、この発明において、例えば、記録メディアには、記録されている映像素材に対応して、素材種別情報がさらに記録されていてもよい。この場合、記録メディアから所定の映像素材を再生する際に、処理部により、この所定の映像素材に対応して記録メディアに記録されている素材種別情報に基づいて、所定の映像素材に対する処理を行うことが可能となる。この場合、上位システムから細かな制御を行う必要がなくなる。素材種別情報は、例えば、ＳＤ素材であるかＨＤ素材であるかを示す情報等である。
【００２８】
また、この発明において、例えば、記録メディアには、記録されている映像素材に対応して編集情報がさらに記録されていてもよい。編集情報は、例えば、テロップ情報、送出順番情報等である。この場合、記録メディアから所定の映像素材を再生する際に、処理部により、この所定の映像素材に対応して記録メディアに記録されている編集情報に基づいて、所定の映像素材に対して編集処理を行うことが可能となる。この場合、上位システムから細かな制御を行う必要がなくなる。
【発明の効果】
【００２９】
この発明によれば、映像素材が記録されている記録メディア自体に、その映像素材の素材情報を記録しておくものであり、送出バンク装置を小規模で安価に実現でき、また、映像素材と素材情報にずれが発生することを防止できる。
【発明を実施するための最良の形態】
【００３０】
以下、発明を実施するための最良の形態（以下、「実施の形態」とする）について説明する。なお、説明は以下の順序で行う。
１．実施の形態
２．変形例
【００３１】
＜１．実施の形態＞
［カート送出システムの構成例］
図１は、実施の形態としてのカート送出システム１００の構成例を示している。このカート送出システム１００は、カート装置１０１と、検尺端末１０３と、送出バンク装置１０４と、自動運行装置１０５を有している。この図には、カート送出システム１００の他に、放送営業管理システム（ＥＤＰＳ）１０７および放送機器１０６が示されている。放送営業管理システム１０７は、カート送出システム１００の上位システムである。放送機器１０６は、カート送出システム１００から送出される映像素材が供給されるスイッチャ、符号化装置、多重化装置等である。
【００３２】
カート装置１０１は、記録メディアとしての複数の光ディスク１０２を収納するメディア棚を有していると共に、光ディスク１０２から映像素材を再生するためのドライブを有している。例えば、光ディスク１０２にはＩＤを示すバーコードが付されており、カート装置１０１において各光ディスク１０２はＩＤ管理されている。また、例えば、カート装置１０１は、各ＩＤと、そのＩＤを持つ光ディスク１０２に記録されている各映像素材の素材コードとの対応関係を示すテーブルを備えている。
【００３３】
［カート装置の構成概要］
図２は、カート装置１０１の構成概要を示している。カート装置１０１は、制御部１１１と、ドライブ１１２，１１３と、メディア棚１１４と、ロボットアーム１１５を有している。制御部１１１は、カート装置１０１の各部の動作を制御する。ドライブ１１２，１１３は、光ディスク１０２から映像素材および素材情報を再生する再生機である。メディア棚１１４は、映像素材および素材情報が記録されている光ディスク１０２を収納するための棚である。ロボットアーム１１５は、メディア棚１１４から、任意の光ディスク１０２を取り出してドライブ１１２，１１３に装填し、あるいはドライブ１１２，１１３から排出された光ディスク１０２をメディア棚１１４に戻す操作を行う。
【００３４】
例えば、送出バンク装置１０４から所定の映像素材の再生準備が指示された場合、カート装置１０１は以下のように動作する。すなわち、制御部１１１の制御のもと、ロボットアーム１１５により、当該所定の映像素材が記録されている光ディスク１０２がメディア棚１１４から取り出され、ドライブ１１２あるいはドライブ１１３に装填される。
【００３５】
そして、ドライブ１１２あるいはドライブ１１３においては、装填された光ディスク１０２から、当該光ディスク１０２に記録されている上述の所定の映像素材の素材情報が読み出される。この素材情報はカート装置１０１から送出バンク装置１０４に送られる。その後、送出バンク装置１０４からカート装置１０１には、所定の映像素材の素材情報に基づいて、開始点等の情報等を伴った再生準備指示が送られ、カート装置１０１では開始点への頭出し等が行われる。この状態で、自動運行装置１０５から再生開始の指示があった場合、制御部１１１の制御のもと、ドライブ１１２またはドライブ１１３においては、装填された光ディスク１０２から所定の映像素材の再生が開始され、放送機器１０６への送出が行われる。
【００３６】
また、ドライブ１１２あるいはドライブ１１３において、装填された光ディスク１０２からの映像素材の再生が終了した場合、当該光ディスク１０２が排出される。そして、この排出された光ディスク１０２は、ロボットアーム１１５により、メディア棚１１４に戻される。
【００３７】
図１に戻って、検尺端末１０３は、プロダクションハウス等から納品される、映像素材（映像／音声データ）が記録されている光ディスク１０２を装着して、ユーザが種々の確認作業（検尺作業）を行うための装置であって、プレビュー機能なども備えている。プロダクションハウス等から納品される光ディスク１０２には、一個あるいは複数個の映像素材が記録されている。この光ディスク１０２には、映像素材の他に、各映像素材を送出順に並べたリスト、さらには、各映像素材の素材情報も記録されている。
【００３８】
ここで、素材情報は、素材コード、素材名（ＣＬＩＰ名）、開始点、素材長、ブロック、素材種別、音声種別等の情報である。ブロックとは番組の映像素材を分割して得られた各分割部分である。送出時において、ＣＭ（commercial message）は、各ブロックの間に挿入される。また、素材種別情報は、映像素材がＨＤ（high definition）素材であるか、ＳＤ（StandardDefinition）素材であるかを等示す情報である。また、音声種別情報は、音声データが、二カ国語であるか、ステレオであるか、５．１ＣＨであるか等を示す情報である。
【００３９】
例えば、光ディスク１０２には、クリップフォルダ「￥Ｃｌｉｐ」と、エディットフォルダ「￥Ｅｄｉｔ」と、ジェネラルフォルダ「￥Ｇｅｎｅｒａｌ」とが設けられる。クリップフォルダ「￥Ｃｌｉｐ」には、各映像素材（映像／音声データ）のファイル「xxxxx.MXF」が格納される。また、エディットフォルダ「￥Ｅｄｉｔ」には、各映像素材を送出順に並べたリストファイル「xxxxx.xxx」が格納される。さらに、ジェネラルフォルダ「￥Ｇｅｎｅｒａｌ」には、各映像素材の素材情報のファイル「xxxxx.xx」が格納される。
【００４０】
検尺端末１０３における検尺作業では、ユーザの操作により、光ディスク１０２に記録されている映像素材毎に、開始点、素材長、ブロック等が確認、調整される。そして、光ディスク１０２には、検尺端末１０３により、検尺作業の結果が記録される。この意味で、検尺端末１０３は、検尺部を構成していると共に、記録部も構成している。これにより、光ディスク１０２に記録された各映像素材の開始点、素材長、ブロックは、検尺作業によって確認されたものとなる。
【００４１】
また、この検尺段階で、番組の映像素材の各ブロックに関連づけたテロップ情報（素材コード、表示タイミング）がユーザ操作により作成され、光ディスク１０２に素材情報として記録される。このテロップ情報は、例えば、上述の図８に示す番組表ＰＲＧａにおけるテロップ１〜３の情報と同等の情報を与えるものである。
【００４２】
放送営業管理システム１０７は、上述したように、カート送出システム１００の上位システムである。この放送営業管理システム１０７は、データベース１０７ａを備えている。このデータベース１０７ａには、プロダクションハウスなどから納品される予定の映像素材の素材情報が入力される。この素材情報は、素材コード、素材名、開始点、素材長、ブロック、素材種別、音声種別等の情報である。また、この放送営業管理システム１０７は、送出段階において、データベース１０７ａに入力された素材情報に基づいて、番組表（簡単な番組表）ＰＲＧｂを生成して、送出バンク装置１０４および自動運行装置１０５に送る。
【００４３】
［番組表の構成例］
図３は、番組表（簡単な番組表）ＰＲＧｂの一例を示している。この番組表ＰＲＧｂは、番組０１の映像素材が２つのブロックに分割され、ブロック１とブロック２との間に１分間のＣＭが挿入されて放送される例である。
【００４４】
なお、番組０１のブロック１を放送する際にはテロップ１とテロップ２が画像に重畳され、また、番組０１のブロック２を放送する際にはテロップ３が画像に重畳される。しかし、この番組表ＰＲＧｂにはテロップ情報はなく、このテロップ情報は、上述したように、当該番組０１の映像素材が記録されている光ディスク１０２に、映像素材と共に記録されている。
【００４５】
この番組表ＰＲＧｂは、番組０１、ＣＭ枠０１（ＣＭ０１、ＣＭ０２）および番組０１の３つのイベントで構成されている。最初の番組０１のイベントに関連して、当該番組０１の映像素材の素材コード、素材名（ＣＬＩＰ名）、ブロックの情報が記載されている。また、次のＣＭ枠０１（ＣＭ０１、ＣＭ０２）のイベントに関連して、ＣＭ０１、ＣＭ０２の映像素材の素材コード、素材名（ＣＬＩＰ名）およびＣＭの長さの情報が記載されている。また、次の、番組０１のイベントに関連して、当該番組０１の映像素材の素材コード、素材名（ＣＬＩＰ名）、ブロックの情報が記載されている。
【００４６】
図１に戻って、送出バンク装置１０４は、送出段階において、上述したように放送営業管理システム１０７から送られてくる番組表ＰＲＧｂ（図３参照）に基づいて、カート装置１０１に対して、所定の映像素材の再生準備を指示する。この場合、上述したように、カート装置１０１では、当該所定の映像素材が記録されている光ディスク１０２がドライブに装填され、当該光ディスク１０２に記録されている素材情報が読み出される。そして、この素材情報がカート装置１０１から送出バンク装置１０４に送られてくる。送出バンク装置１０４は、この素材情報に基づいて、カート装置１０１に対して、イベント毎に、開始点等の情報等を伴った再生準備指示を送る。これにより、カート装置１０１では、イベント毎に、開始点への頭出し等が行われる。
【００４７】
また、送出バンク装置１０４は、送出段階において、上述したように、カート装置１０１から送られてくる素材情報を、自動運行装置１０５に供給する。自動運行装置１０５は、送出段階において、上述したように放送営業管理システム１０７から送られてくる番組表ＰＲＧｂに基づいて、時間の管理を行い、カート装置１０１に、イベント毎に、再生開始（送出開始）の指示を送る。これにより、カート装置１０１においては、ドライブに装填された光ディスク１０２から所定の映像素材の再生が開始され、放送機器１０６への送出が行われる。また、自動運行装置１０５は、イベント毎に、送出バンク装置１０４から供給される素材情報に基づいて、放送機器１０６に対する簡単な制御を行う。
【００４８】
［カート送出システムの動作例］
図１に示すカート送出システム１００の動作を説明する。まず、準備段階の動作を説明する。この準備段階において、放送営業管理システム２０７のデータベース２０７ａに、プロダクションハウスなどから納品される予定の映像素材の素材情報が入力される。ここで、素材情報は、素材コード、素材名、開始点、素材長、ブロック、素材種別、音声種別等の情報である。
【００４９】
次に、検尺段階の動作を説明する。この検尺段階において、プロダクションハウス等から納品された、映像素材（映像／音声データ）が記録されている光ディスク１０２が、検尺端末１０３に装着される。ユーザは、検尺端末１０３を操作して、光ディスク１０２に記録されている映像素材毎に、開始点、素材長、ブロック等の確認、調整を行う。そして、この検尺作業結果が、検尺端末１０３により、光ディスク１０２に記録される。これにより、光ディスク１０２に記録された各映像素材の開始点、素材長、ブロックは、検尺作業によって確認されたものとなる。
【００５０】
また、この検尺段階において、検尺端末１０３が操作されて、番組の映像素材の各ブロックに関連づけたテロップ情報（素材コード、表示タイミング）がユーザ操作により作成され、光ディスク１０２に素材情報の一つとして記録される。このように映像素材の素材情報にテロップ情報が付加されることで、送出時に、放送営業管理システム１０７で作成される番組表ＰＲＧｂにはテロップ情報は不要となる（図３参照）。
【００５１】
検尺端末１０３で検尺された後の光ディスク１０２は、カート装置１０１のメディア棚に新たに収納される。この際、カート装置１０１が備える、光ディスク１０２を識別するためのＩＤと、そのＩＤを持つ光ディスク１０２に記録されている各映像素材の素材コードとの対応関係を示すテーブルは更新される。
【００５２】
次に、送出段階の動作を説明する。この送出段階において、放送営業管理システム１０７では、データベース１０７ａに入力された素材情報に基づいて、番組表（簡単な番組表）ＰＲＧｂが生成される。そして、この番組表ＰＲＧｂは、送出バンク装置１０４および自動運行装置１０５に送られる。
【００５３】
送出バンク装置１０４では、上述したように放送営業管理システム１０７から送られてくる番組表ＰＲＧｂ（図３参照）に基づいて、カート装置１０１に対して、イベント毎に、所定の映像素材の再生準備を指示することが行われる。カート装置１０１では、当該所定の映像素材が記録されている光ディスク１０２がドライブに装填され、それ記録されている所定の映像素材の素材情報（素材コード、素材名、開始点、素材長、ブロック、素材種別、音声種別、テロップ等の情報）が読み出される。そして、この素材情報がカート装置１０１から送出バンク装置１０４に送られてくる。
【００５４】
送出バンク装置１０４では、この素材情報に基づいて、カート装置１０１に対して、イベント毎に、開始点等の情報等を伴った再生準備指示が送られる。これにより、カート装置１０１では、イベント毎に、開始点への頭出し等が行われる。そして、カート装置１０１には、イベント毎に、自動運行装置１０５から再生開始（送出開始）の指示が行われ、所定の映像素材が再生されて放送機器１０６に供給される。
【００５５】
また、送出バンク装置１０４では、送出段階において、上述したように、カート装置１０１から送られてくる素材情報を、自動運行装置１０５に供給することが行われる。自動運行装置１０５では、送出バンク装置１０４から供給される素材情報に基づいて、放送機器１０６に対する簡単な制御が行われる。すなわち、送出バンク装置１０４から送られてくる素材情報に映像素材の素材種別、音声種別、テロップ等の情報が含まれている。したがって、自動運行装置１０５では、例えば素材種別（ＳＤ，ＨＤ）と送出回線とが比較され、放送機器１０６において変換処理を行うが否か等の制御が行われる。また、自動運行装置１０５では、テロップ情報に基づいて、放送機器１０６におけるテロップ重畳が制御される。
【００５６】
図４のフローチャートは、上述の送出段階における送出バンク装置１０４の処理を示している。
【００５７】
送出バンク装置１０４は、ステップＳＴ１１において、処理を開始し、その後に、ステップＳＴ１２の処理に移る。このステップＳＴ１２において、送出バンク装置１０４は、放送営業管理システム１０７から番組表（簡単な番組表）ＰＲＧｂ（図３参照）を、受け取る。
【００５８】
次に、送出バンク装置１０４は、ステップＳＴ１３において、番組表ＰＲＧｂに基づいて、イベント毎に、カート装置１０１に映像素材の再生準備を指示する。そして、送出バンク装置１０４は、ステップＳＴ１４において、ステップＳＴ１３の指示に対応してカート装置２０１から送られてくる素材情報を受け取る。
【００５９】
次に、送出バンク装置１０４は、ステップＳＴ１５において、ステップＳＴ１４で受け取った素材情報に基づいて、カート装置１０１に開始点等の情報等を伴った再生準備指示を送ると共に、当該素材情報を自動運行装置１０５に送る。
【００６０】
送出バンク装置１０４は、ステップＳＴ１４およびステップＳＴ１５の処理を、ステップＳＴ１２で受け取った番組表ＰＲＧｂに基づいて、適宜繰り返す。その後、送出バンク装置１０４は、ステップＳＴ１６において、処理を終了する。
【００６１】
図５のフローチャートは、上述の送出段階におけるカート装置１０１の処理を示している。
【００６２】
カート装置１０１は、ステップＳＴ２１において処理を開始し、その後に、ステップＳＴ２２の処理に移る。このステップＳＴ２２において、カート装置１０１は、送出バンク装置１０４から所定の映像素材の再生準備の指示を受け取る。そして、カート装置１０１は、ステップＳＴ２３において、指示に含まれる所定の映像素材の素材コードに基づいて、当該所定の映像素材が記録されている光ディスク１０２を検索する。そして、この光ディスク１０２をドライブに装填する。
【００６３】
次に、カート装置１０１は、ステップＳＴ２４において、ドライブに装填された光ディスク１０２から、上述の所定の映像素材の素材情報を読み出す。そして、カート装置１０１は、この読み出された素材情報を送出バンク装置１０４に送る。
【００６４】
次に、カート装置１０１は、ステップＳＴ２５において、送出バンク装置１０４から、素材情報に基づいた所定の映像素材の再生準備指示を受け取り、開始点への頭出し等の、より具体的な再生準備を行う。そして、カート装置１０１は、ステップＳＴ２６において、自動運行装置１０５から送出（再生）開始の指示を受け取り、送出（再生）を開始する。
【００６５】
カート装置１０１は、ステップＳＴ２２〜ステップＳＴ２６の処理を、番組表ＰＲＧｂに応じて、適宜繰り返す。その後、カート装置１０１は、ステップＳＴ２７において、処理を終了する。
【００６６】
図６のフローチャートは、上述の送出段階における自動運行装置１０５の処理を示している。
【００６７】
自動運行装置１０５は、ステップＳＴ３１において処理を開始し、その後に、ステップＳＴ３２の処理に移る。このステップＳＴ３２において、自動運行装置１０５は、放送営業管理システム１０７から番組表（簡単な番組表）ＰＲＧｂ（図３参照）を、受け取る。
【００６８】
次に、自動運行装置１０５は、ステップＳＴ３３において、送出バンク装置１０４から、カート装置１０１から再生される映像素材に係る素材情報（素材コード、素材名、開始点、素材長、ブロック、素材種別、音声種別、テロップ等の情報）を受け取る。そして、自動運行装置１０５は、ステップＳＴ３４において、番組表ＰＲＧｂに基づいて時間の管理を行い、カート装置１０１に送出開始の指示を送る。
【００６９】
次に、自動運行装置１０５は、ステップＳＴ３５において、送出バンク装置１０４から受け取った素材情報に基づいて、放送機器１０６を制御する。すなわち、自動運行装置１０５は、例えば素材種別（ＳＤ，ＨＤ）と送出回線とを比較し、放送機器１０６において変換処理を行うが否か等の制御を行う。また、自動運行装置１０５は、テロップ情報（内容、タイミング）に基づいて、放送機器１０６におけるテロップ重畳を制御する。
【００７０】
自動運行装置１０５は、ステップＳＴ３３〜ステップＳＴ３５の処理を、ステップＳＴ３２で受け取った番組表ＰＲＧｂに応じて、適宜繰り返す。その後、自動運行装置１０５は、ステップＳＴ３６において、処理を終了する。
【００７１】
以上説明したように、図１に示すカート送出システム１００においては、映像素材が記録されている光ディスク１０２自体にその映像素材の素材情報が記録されている。そのため、送出バンク装置１０４は、番組表ＰＲＧｂに基づいて、カート装置１０１に再生準備を指示する場合、当該光ディスク１０２に記録されている素材情報を利用できる。したがって、送出バンク装置１０４は、カート装置１０１内の各光ディスク１０２に記録されている映像素材の素材情報を格納するためのデータベースを備える必要がなく、小規模で安価に実現可能となる。また、映像素材が記録されている光ディスク１０２自体にその映像素材の素材情報が記録されるため、映像素材と素材情報にずれが発生することを防止できる。
【００７２】
また、図１に示すカート送出システム１００においては、光ディスク１０２から映像素材を再生する際に、当該光ディスク１０２から素材情報が取得されて、自動運行装置１０５に送られる。この素材情報には、素材種別、音声種別の情報、さらにはテロップ情報等が含まれている。そのため、自動運行装置１０５では、例えば素材種別（ＳＤ，ＨＤ）と送出回線とを比較して、放送機器１０６において変換処理を行うが否か等の制御を行うことができる。また、自動運行装置１０５では、テロップ情報に基づいて、放送機器１０６におけるテロップ重畳を制御できる。したがって、上位システムである放送営業管理システム１０７から供給される番組表ＰＲＧｂを簡易なものとすることができ、上位システムは細かな制御を行う必要がなくなる。
【００７３】
＜２．変形例＞
なお、上述実施の形態において、素材情報に含まれる編集情報としてテロップ情報を示しているが、これに限定されるものではなく、その他の編集に係る情報を予め光ディスク１０２に、映像素材と共に記録しておいてもよい。また、上述実施の形態において、記録メディアとして光ディスク１０２を示した。しかし、この発明は、これに限定されるものではなく、その他のディスク状記録媒体、あるいは半導体メモリ等を用いたシステムにも同様に適用できる。
【産業上の利用可能性】
【００７４】
この発明は、送出バンク装置を小規模で安価に実現でき、また、映像素材と素材情報にずれが発生することを防止できるものであり、ディスク状記録媒体などを記録メディアとして使用するカート送出システム等に適用できる。
【図面の簡単な説明】
【００７５】
【図１】この発明の実施の形態としてのカート送出システムの構成例を示すブロック図である。
【図２】カート装置の構成概要を示す図である。
【図３】番組表（簡単な番組表）の一例を示す図である。
【図４】送出バンク装置の送出時における処理を説明するためのフローチャートである。
【図５】カート装置の送出時における処理を説明するためのフローチャートである。
【図６】自動運行装置の送出時における処理を説明するためのフローチャートである。
【図７】従来のカート送出システムの構成例を示すブロック図である。
【図８】番組表（複雑な番組表）の一例を示す図である。
【図９】送出バンク装置の送出時における処理を説明するためのフローチャートである。
【符号の説明】
【００７６】
１００・・・カート送出システム
１０１・・・カート装置
１０２・・・光ディスク
１０３・・・検尺端末
１０４・・・送出バンク装置
１０５・・・自動運行装置
１０６・・・放送機器
１０７・・・放送営業管理システム
１０７ａ・・・データベース
１１１・・・制御部
１１２，１１３・・・デッキ
１１４・・・メディア棚
１１５・・・ロボットアーム
【図１】
2010102783.tif 000003
【図２】
2010102783.tif 000004
【図３】
2010102783.tif 000005
【図４】
2010102783.tif 000006
【図５】
2010102783.tif 000007
【図６】
2010102783.tif 000008
【図７】
2010102783.tif 000009
【図８】
2010102783.tif 000010
【図９】
2010102783.tif 000011